【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
情報処理装置と、
前記情報処理装置から送信された印刷データを印刷することが可能であり、前記印刷データに関する操作権限情報をユーザ毎に管理するポリシーサーバと接続する１以上の印刷装置と
を含む印刷システムであって、
前記情報処理装置は、
前記情報処理装置のユーザを認証するために用いられる認証情報を入力する第１の認証情報入力部と、
前記第１の認証情報入力部により入力した前記認証情報と、前記印刷データを識別する識別ＩＤが付与された該印刷データとを前記印刷装置へ出力する第１の出力部とを含み、
前記印刷装置は、
前記第１の出力部より出力された前記認証情報と前記印刷データとを取得する第１の取得部と、
前記第１の取得部が取得した前記認証情報と前記印刷データに付与された識別ＩＤとを前記ポリシーサーバに送信して、前記送信した認証情報と識別ＩＤとに応答して前記ポリシーサーバから送信される前記印刷データに関する操作権限情報を取得する第２の取得部と、
前記取得した操作権限情報に従って前記印刷データの印刷を実行するか否かを判断する第１の判断部とを含むことを特徴とする印刷システム。
【請求項２】
前記情報処理装置は、さらに、
識別ＩＤが前記印刷データに付与されているか否かを判断する第２の判断部を含み、
前記第１の出力部は、前記第２の判断部が前記印刷データに識別ＩＤが付与されていると判断した場合には前記認証情報と前記印刷データとを出力し、前記第２の判断部が前記印刷データに識別ＩＤが付与されていないと判断した場合には前記印刷データを出力する
ことを特徴とする請求項１に記載の印刷システム。
【請求項３】
前記印刷装置は、
前記第１の取得部が識別ＩＤが付与されていない印刷データを取得した場合には、前記第２の取得部により前記ポリシーサーバから操作権限情報を取得することなく前記印刷データの印刷を実行することを特徴とする請求項２に記載の印刷システム。
【請求項４】
前記情報処理装置は、
前記情報処理装置に着脱可能な記憶媒体に識別ＩＤが付与された印刷データを出力する第２の出力部をさらに含み、
前記印刷装置は、さらに、
前記識別ＩＤが付与された印刷データを記憶した、前記印刷装置に着脱可能な記憶媒体から前記印刷データを取得する第３の取得部と、
前記印刷装置のユーザを認証するために用いられる認証情報を入力する第２の認証情報入力部を含み、
前記第３の取得部が前記識別ＩＤが付与された印刷データを取得した場合、前記第２の取得部は前記第２の認証情報入力部により入力した認証情報と、前記印刷データに付与された識別ＩＤとを前記ポリシーサーバへ送信して、前記送信した認証情報と識別ＩＤとに応答して前記ポリシーサーバから送信される前記印刷データに関する操作権限情報を取得する
ことを特徴とする請求項１乃至３の何れか１項に記載の印刷システム。
【請求項５】
前記印刷装置は、分散印刷または代替印刷を行う場合に、
前記第１の取得部が取得した印刷データの一部または全てと、前記識別ＩＤと、前記認証情報とを他の印刷装置へ転送する転送部をさらに含むことを特徴とする請求項１乃至４の何れか１項に記載の印刷システム。
【請求項６】
前記印刷装置は、
前記第１の判断部が印刷不可と判断した場合に、前記印刷データをどのように扱うかを指示するための指示情報を取得する第４の取得部と、
前記指示情報に従って前記印刷データを処理する処理部と
をさらに含むことを特徴とする請求項１乃至５の何れか１項に記載の印刷システム。
【請求項７】
前記印刷装置は、
前記第１の判断部によって印刷を実行すると判断された前記印刷データに関する印刷ジョブが前記印刷装置のエラーにより印刷が停止した場合、エラー解除後に再び、前記第２の取得部により前記操作権限情報を取得させ、かつ、前記第１の判断部により印刷を実行するか否かを判断させるエラー処理部を
含むことを特徴とする請求項１乃至６の何れか１項に記載の印刷システム。
【請求項８】
前記第４の取得部は、
前記指示情報として、印刷を中止するジョブキャンセル、ページの割付を行う割付印刷、タイトルのみを印刷するタイトル印刷のいずれかを選択でき、選択した状態をユーザに通知することを特徴とする請求項６に記載の印刷システム。
【請求項９】
印刷装置と接続する情報処理装置であって、
前記情報処理装置のユーザを認証するための認証情報を入力する認証情報入力部と、
少なくとも前記印刷装置と接続し、印刷データに関する操作権限情報をユーザ毎に管理するポリシーサーバが前記印刷データを識別する識別ＩＤが該印刷データに付与されているか否かを判断する判断部と、
前記識別ＩＤが付与されていると前記判断部が判断した場合に、前記認証情報入力部により入力した認証情報と前記印刷データとを前記印刷装置へ送信する送信部と
を含むことを特徴とする情報処理装置。
【請求項１０】
印刷データに関する操作権限情報をユーザ毎に管理するポリシーサーバと情報処理装置とそれぞれ接続する印刷装置であって、
前記情報処理装置から印刷データを識別する識別ＩＤが付与された印刷データと、前記情報処理装置のユーザを認証するために用いられる認証情報とを取得する第１の取得部と、
前記認証情報と前記識別ＩＤとを前記ポリシーサーバに送信して、前記送信した認証情報と識別ＩＤとに応答して前記ポリシーサーバから送信される前記印刷データに関する操作権限情報を取得する第２の取得部と、
前記取得した操作権限情報に従って印刷を実行するか否かを判断する判断部と
を含むことを特徴とする印刷装置。
【請求項１１】
印刷装置と接続する情報処理装置を制御する方法であって、
前記情報処理装置のユーザを認証するための認証情報を入力するステップと、
少なくとも前記印刷装置と接続し、印刷データに関する操作権限情報をユーザ毎に管理するポリシーサーバが前記印刷データを識別する識別ＩＤが該印刷データに付与されているか否かを判断するステップと、
前記識別ＩＤが付与されていると判断された場合に、前記入力された認証情報と前記印刷データとを前記印刷装置へ送信するステップと
を含むことを特徴とする方法。
【請求項１２】
印刷データに関する操作権限情報をユーザ毎に管理するポリシーサーバと情報処理装置とにそれぞれ接続される印刷装置を制御する方法であって、
前記情報処理装置から印刷データを識別する識別ＩＤが付与された印刷データと、前記情報処理装置のユーザを認証するために用いられる認証情報とを取得するステップと、
前記取得した認証情報と前記識別ＩＤとを前記ポリシーサーバに送信して、前記送信した認証情報と識別ＩＤとに応答して前記ポリシーサーバから送信される前記印刷データに関する操作権限情報を取得するステップと、
前記取得した操作権限情報に従って印刷を実行するか否かを判断するステップと
を含むことを特徴とする方法。
【請求項１３】
請求項１１または１２に記載の方法をコンピュータに実行させるためのコンピュータプログラム。
【手続補正２】
【補正対象書類名】明細書
【補正対象項目名】００１０
【補正方法】変更
【補正の内容】
【００１０】
本発明は、情報処理装置と、前記情報処理装置から送信された印刷データを印刷することが可能であり、前記印刷データに関する操作権限情報をユーザ毎に管理するポリシーサーバと接続する１以上の印刷装置とを含む印刷システムに係る。前記情報処理装置は、前記情報処理装置のユーザを認証するために用いられる認証情報を入力する第１の認証情報入力部と、前記第１の認証情報入力部により入力した前記認証情報と、前記印刷データを識別する識別ＩＤが付与された該印刷データとを前記印刷装置へ出力する第１の出力部とを含み、前記印刷装置は、前記第１の出力部より出力された前記認証情報と前記印刷データとを取得する第１の取得部と、前記第１の取得部が取得した前記認証情報と前記印刷データに付与された識別ＩＤとを前記ポリシーサーバに送信して、前記送信した認証情報と識別ＩＤとに応答して前記ポリシーサーバから送信される前記印刷データに関する操作権限情報を取得する第２の取得部と、前記取得した操作権限情報に従って前記印刷データの印刷を実行するか否かを判断する第１の判断部とを含むことを特徴とする。